(57)【要約】【課題】警報器の施工が完了すると、必要な情報をガイダンスとして自動的に音声出力する。【解決手段】警報音とガイダンスとを予め記憶させた音声出力部１２と、本体警報部３がベース部２に組み付けられたときに作動する施工検知スイッチ１７と、施工検知スイッチ１７が作動すると、少なくとも施工完了を通知するガイダンスを音声出力させる制御部１４とを備える。【選択図】図１
2010108083.tif 000002
【特許請求の範囲】
【請求項１】
壁面あるいは天井面に固定されるベース部と、前記ベース部に着脱自在に組み付けられる本体警報部とからなる住宅用警報器において、
前記本体警報部は、
警報音と、少なくとも施工完了を通知するガイダンスとを予め記憶させた音声出力部と、
前記本体警報部が前記ベース部に組み付けられたときに作動する施工検知スイッチと、
前記施工検知スイッチが作動すると、前記ガイダンスを音声出力させる制御部とを備えた住宅用警報器。
【請求項２】
請求項１において、
該警報器を自己診断する試験部を更に備え、
前記制御部は、前記施工検知スイッチが作動すると、前記試験部に自己診断を実行させて、前記ガイダンスと共に、自己診断の結果を音声出力させる住宅用警報器。
【請求項３】
請求項１または２において、
前記施工検知スイッチは、
警報停止操作を受け付ける操作ボタンのスイッチと兼用されている住宅用警報器。
【請求項４】
壁面あるいは天井面に固定されるベース部と、前記ベース部に着脱自在に組み付けられる本体警報部とからなる住宅用警報器において、
前記本体警報部は、
警報器を自己診断する試験部と、
前記本体警報が前記ベース部に組み付けられたときに、外部に突出して操作可能になる施工完了ボタンと、前記施工完了ボタンによって作動する施工検知スイッチと、
前記施工完了スイッチが操作されると、前記試験部に自己診断を実行させて、自己診断の結果を音声出力させる制御部とを備えた住宅用警報器。
【発明の詳細な説明】
【技術分野】
【０００１】
本発明は、壁面あるいは天井面に固定されるベース部と、そのベース部に着脱自在に組み付けられる本体警報部とからなる住宅用警報器に関する。
【背景技術】
【０００２】
上記のようにベース部と本体警報部とからなる警報器の従来例として、次の特許文献には、本体警報部の設置状態を検出し、ユーザが火災警報器を設置面に設置すると、監視動作を開始する構成とした火災警報器が開示されている。更に、監視動作に入る前に、スピーカから「ピッ」という発音を行うことも記載されている。
【特許文献１】特開2005-293305号公報
【発明の開示】
【発明が解決しようとする課題】
【０００３】
特許文献１による構成は、施工が完了すると自動的に監視動作を開始するので電源投入操作をする必要はなくなるが、監視動作を「ピッ」という発音で通知するだけでは、聞き落とすこともあり、警報器が正しく施工されたか否か、ユーザを不安にさせる虞がある。また、ユーザが警報器の説明書を読んでいない場合には、施工後に行うべき試験操作をしないということも考えられる。
【０００４】
そこで、本発明は、警報器の施工が完了すると、必要な情報を自動的に音声出力する機能を有した住宅用警報器を提案する。
【課題を解決するための手段】
【０００５】
本発明による第１の住宅用警報器は、壁面あるいは天井面に固定されるベース部と、前記ベース部に着脱自在に組み付けられる本体警報部とからなり、前記本体警報部は、警報音と、少なくとも施工完了を通知するガイダンスとを予め記憶させた音声出力部と、前記本体警報部が前記ベース部に組み付けられたときに作動する施工検知スイッチと、前記施工検知スイッチが作動すると、前記ガイダンスを音声出力させる制御部とを備える。
【０００６】
上記住宅用警報器は、該警報器を自己診断する試験部を更に備え、前記制御部は、前記施工検知スイッチが作動すると、前記試験部に自己診断を実行させて、前記ガイダンスと共に、自己診断の結果を音声出力させる構成としてもよい。
【０００７】
また、前記施工検知スイッチは、警報停止操作を受け付ける操作ボタンのスイッチと兼用する構成としてもよい。
【０００８】
本発明による第２の住宅用警報器は、壁面あるいは天井面に固定されるベース部と、前記ベース部に着脱自在に組み付けられる本体警報部とからなり、前記本体警報部は、警報器を自己診断する試験部と、前記本体警報が前記ベース部に組み付けられたときに、外部に突出して操作可能になる施工完了スイッチと、前記施工完了スイッチが操作されると、前記試験部に自己診断を実行させて、自己診断の結果を音声出力させる制御部とを備える。
【発明の効果】
【０００９】
本発明による第１の住宅用警報器では、ガイダンスによって、警報器が正しく設置されたことを通知する共に、直ちに実施すべき試験等の情報も通知できる。また、日頃の注意点等の情報も通知できる。
【００１０】
また、施工検知スイッチが作動すると、自己診断を実行して、ガイダンスと共に、自己診断の結果を音声出力する構成では、施工時の自己診断が自動的に実行されるので、手間が掛からない。
【００１１】
施工検知スイッチを、警報停止操作を受け付ける操作ボタンのスイッチと兼用にした構成では、施工検知スイッチのために独立したスイッチを設ける必要がなく、コストが抑えられる。
【００１２】
本発明による第２の住宅用警報器では、施工完了スイッチを独立して設け、施工完了時には外部に突出してよく目立つようにしているので、確実な操作が期待できる。
【発明を実施するための最良の形態】
【００１３】
以下、本発明の実施例を図に従って説明する。実施例は、住宅用の火災警報器であるが、本発明は、火災警報器だけでなく、ガス漏れ警報器、防犯警報器等にも適用できる。
【００１４】
図１は、実施例の機能ブロック図、図２は実施例の分解斜視図である。
【００１５】
警報器１は、壁面あるいは天井面に固定されるベース部２と、ベース部２に着脱自在に組み付けられる本体警報部３とからなる。また、回路的な構成要素として、火災要因である煙を検知する検知部１１と、火災を検知したときに出力すべき警報音や施工完了時に出力すべきガイダンスを予め記憶させた音声出力部１２と、警報器１の自己診断として、検知部１１や音声出力部１２の機能を自己診断する試験部１３と、各部を制御する制御部１４とを備え、これらを実装した回路基板が本体警報部３に収容されている。また、音声出力部１２にはスピーカ１５が接続され、また、制御部１４には、警報停止操作を受け付ける操作ボタン１８によって作動する操作スイッチ１６と、本体警報部３がベース部２に組み付けられたときに作動する施工検知スイッチ１７とが接続されている。
【００１６】
ベース部２は、本体警報部３に形成された突片４を受け入れて保持する係止保持部５が周縁に沿って形成され、更に、固定用ネジを挿通させるネジ孔６（ダルマ孔）も形成されている。
【００１７】
本体警報部３は、ベース部２の係止保持部５に対応した位置に突片４が形成され、更に、ベース部２に対する接合面に、電源電池収容部７と、施工検知スイッチ１７とが設けられている。施工検知スイッチ１７は、この例では２つの電極よりなるスイッチであって、ベース部２の対応した位置に設けられた金属片９によって２つの電極を短絡させることで作動する。２１は、引紐であって、操作ボタン１８と連動するようになっている。
【００１８】
警報器１の施工では、まず、天井あるいは壁面に固定用ネジを螺入し、次いで、固定用ネジの頭部をベース部２のネジ孔６に挿通させてベース部２を固定し、最後に、本体警報部３を、その固定されたベース部２に重ねて回動させる。すると、その回動によって、本体警報部３の突片４がベース部２の係止保持部５に係止保持され施工が完了する。
【００１９】
ここで、ベース部２の金属片は、突片４が係止保持部５に係止保持される位置まで回動してきたときに、本体警報部３の施工検知スイッチ１７を作動させるように配置されているので、施工が完了した時点で作動する。
【００２０】
制御部１４は、施工検知スイッチ１７が作動すると、音声出力部１２に記憶されているガイダンスを音声出力させる。ガイダンスは、少なくとも施工完了を通知する内容を含んでいる。例えば、「警報器は正しく取り付けられました。警報停止ボタンを５秒以上押して、警報が出力されるか確認してください」としてもよい。このようにすれば、ユーザに、警報器１が正しく施工されたことを通知する共に、直ちに実施すべき試験等の情報も通知できる。また、日頃の注意点等の情報も通知できる。
【００２１】
なお、施工検知スイッチ１７を電源スイッチとして、その作動によって警報器１の電源が投入される構成としてもよい。このようにすれば、警報器１に電池を装着した状態で梱包、出荷することが可能になり、その結果、施工時の電池装着ミスを防ぐことができる。
【００２２】
更に、制御部１４は、施工検知スイッチ１７が作動すると、試験部１３に自己診断を実行させて、ガイダンスと共に、自己診断の結果を音声出力させる構成としてもよい。このようにすれば、施工時の自己診断が自動的に実行されるので、手間が掛からない。
【００２３】
図３は他の実施例の透視模式図、図４は他の実施例におけるベース部２、本体警報部３の平面図である。
【００２４】
この警報器１では、図４に示しているように、操作ボタン１８から引紐取付部１８ａが延設されており、引紐取付部の根元には回転軸１８ｂが設けられている。引紐２１は、引紐取付部１８ａの中間部に連結されており、引紐２１が引かれた場合も、操作ボタン１８が押圧された場合も、操作ボタン１８は、回転軸１８ｂを中心として回動して、回路基板上の操作スイッチ１６を作動させる。引紐取付部１８ａの端部は、本体警報部３の接合面から突出している。ベース部２には、その突出した引紐取付部１８ａを施工時に押圧するための凸部１９が形成されている。
【００２５】
引紐取付部１８ａは、施工時、本体警報部３をベース部２に重ねて回動させると、突片４が係止保持部５に係止保持される位置の直前にきた時点で、ベース部２に形成された凸部１９によって外側に向かって押圧され、突片４が係止保持部５に係止保持された時点で、その押圧から解放される。この押圧によって、操作ボタン１８は、引紐２１が引かれた場合と同様に回動して、回路基板上の操作スイッチ１６を作動させる。ここで、制御部１４は、電池装着後、操作ボタン１８が最初に操作されたときには、試験部１３に自己診断を実行させて、ガイダンスと共に、自己診断の結果を音声出力させる構成とする。
【００２６】
このようにすれば、施工検知スイッチ１７は、警報停止操作を受け付ける操作ボタン１８の操作スイッチ１６と兼用にできるので、施工検知スイッチ１７のために独立したスイッチを設ける必要がなく、コストが抑えられる。
【００２７】
図５は、変形例の透視模式図、図６は、この変形例におけるベース部２の平面図である。
この警報器１は、本体警報部３がベース部２に組み付けられたときに操作可能になる施工完了ボタン２２と、この施工完了ボタン２２によって作動する施工検知スイッチ１７とを備えている。特に図示していない構成要素は、上記実施例と共通している。
【００２８】
施工完了ボタン２２は、その押圧方向に向かってガイド棒２２ａが延設されている。ガイド棒２２ａの端点は、本体警報部３の接合面から突出しており、施工時、本体警報部３をベース部２に重ねる際に、ベース部２の平坦部分に当接して、施工完了ボタン２２を本体警報部３の表面から突出させる。ベース部２には、突出した施工完了ボタン２２を本体警報部３の表面と均等な高さまで押し込めるように、ガイド棒２２ａの逃げしろとなるガイド穴２３が形成されている。このガイド穴２３は、突片４が係止保持部５に係止保持されたときに、ガイド棒２２ａの直下にくるようになっている。施工完了ボタン２２は、本体警報部３に押し込まれると、回路基板上の施工検知スイッチ１７を作動させる。
【００２９】
ガイド穴２３の底面は、本体警報部３をベース部２から取り外すために、本体警報部３を逆方向に回動させる際、ガイド棒２２ａをガイド穴２３からスムースに脱出させるための傾斜面を形成しておくとよい。なお、この例では、制御部１４は、施工完了ボタン２２が操作されると、試験部１３に自己診断を実行させて、自己診断の結果を報知させるようになっている。
【００３０】
この変形例では、施工完了スイッチを独立して設け、施工完了時には外部に突出してよく目立つようにしているので、確実な操作が期待できる。
【図面の簡単な説明】
【００３１】
【図１】実施例の機能ブロック図である。
【図２】実施例の分解斜視図である。
【図３】他の実施例の透視模式図である。
【図４】他の実施例におけるベース部、本体警報部の平面図である。
【図５】変形例の透視模式図である。
【図６】変形例におけるベース部の平面図である。
【符号の説明】
【００３２】
１    警報器
２    ベース部
３    本体警報部
１２  音声出力部
１３  試験部
１４  制御部
１７  施工検知スイッチ
１８  操作ボタン
２２  施工完了ボタン
【図１】
2010108083.tif 000003
【図２】
2010108083.tif 000004
【図３】
2010108083.tif 000005
【図４】
2010108083.tif 000006
【図５】
2010108083.tif 000007
【図６】
2010108083.tif 000008